(57)【要約】【課題】現在の口座情報を使用して、変更前の旧口座に対して生成された帳票も含めて一括して検索し、容易に所望の帳票を閲覧し、取得することが可能なシステム、方法、及びプログラムを提供する。【解決手段】本発明の一実施形態に係るシステムは、現在の口座の口座情報と旧口座の口座情報とを記憶する口座情報読替データベースと、現在の口座及び旧口座に対して生成された帳票を記憶する帳票管理データベースとを備える。また、操作端末から現在の口座の口座情報を受信する受信部と、現在の口座に対応する旧口座の口座情報が存在する場合に、当該旧口座の口座情報を取得する口座情報読替部を備える。また、受信した現在の口座の口座情報と、取得した旧口座の口座情報とを使用して、対応する帳票を検索し、抽出する帳票抽出部と、抽出した帳票を操作端末に出力する帳票出力部を備える。【選択図】図１
2017027141.tif 000002
【特許請求の範囲】
【請求項１】
帳票掲載管理システムであって、
現在の口座の口座情報と、１つまたは複数の旧口座の口座情報とを記憶する口座情報読替データベースと、
前記現在の口座及び前記１つまたは複数の旧口座に対して生成された帳票を記憶する帳票管理データベースと、
操作端末から前記現在の口座の口座情報を受信する受信部と、
前記現在の口座に対応する前記１つまたは複数の旧口座の口座情報が、前記口座情報読替データベースに存在するかどうか判定し、前記１つまたは複数の旧口座の口座情報が存在する場合に、前記１つまたは複数の旧口座の口座情報を取得する口座情報読替部と、
前記受信した現在の口座の口座情報と、前記取得した１つまたは複数の旧口座の口座情報とを使用して、前記帳票管理データベースから対応する帳票を検索し、抽出する帳票抽出部と、
前記抽出した帳票を、前記操作端末に出力する帳票出力部と
を備えたことを特徴とするシステム。
【請求項２】
前記帳票抽出部は、前記１つまたは複数の旧口座の口座情報が存在しない場合に、前記現在の口座の口座情報のみを使用して、前記帳票管理データベースを検索することを特徴とする請求項１に記載のシステム。
【請求項３】
前記帳票出力部は、前記帳票管理データベースから対応する帳票が抽出されない場合に、対応する帳票は存在しない旨のエラーメッセージを表示することを特徴とする請求項１または２に記載のシステム。
【請求項４】
口座情報が変更され、新たな口座が登録されると、前記変更された旧口座の口座情報と、前記新たに登録された現在の口座の口座情報とを、前記口座情報読替データベースに登録する読替口座登録部
をさらに備えたことを特徴とする請求項１乃至３のいずれか１項に記載のシステム。
【請求項５】
１つまたは複数のコンピュータを、請求項１乃至４のいずれか１項に記載の帳票掲載管理システムとして機能させるためのプログラム。
【請求項６】
帳票掲載管理方法であって、
操作端末から現在の口座の口座情報を受信するステップと、
前記現在の口座に対応する１つまたは複数の旧口座の口座情報を記憶する口座番号読替データベースに、前記現在の口座に対応する前記１つまたは複数の旧口座の口座情報が存在するかどうか判定するステップと、
前記１つまたは複数の旧口座の口座情報が存在する場合に、前記１つまたは複数の旧口座の口座情報を取得するステップと、
前記受信した現在の口座の口座情報と、前記取得した１つまたは複数の旧口座の口座情報とを使用して、前記現在の口座及び前記１つまたは複数の旧口に対して生成された帳票を記憶する帳票管理データベースから、対応する帳票を検索し、抽出するステップと、
前記抽出した帳票を、前記操作端末に出力するステップと
を含むことを特徴とする方法。
【発明の詳細な説明】
【技術分野】
【０００１】
本発明は、金融機関が提供するインターネットサービスにおいて、帳票一括検索機能を提供する帳票掲載管理システム、帳票掲載管理方法、及びプログラムに関する。
【背景技術】
【０００２】
従来より、金融機関においては、総合振込や給与振込の利用明細表や、為替手数料計算書等の帳票を、顧客である企業に提供している。また、金融機関は、インターネットサービスとして、それらの帳票を、紙帳票に替えて、Ｗｅｂ帳票として顧客に提供し、閲覧させることを可能にしている。
【０００３】
例えば、Ｗｅｂ帳票では、顧客である企業の担当者は、コンピュータ端末を操作して、金融機関がインタネットサービスを提供するウェブサイトにアクセスしてログインし、登録口座の中から所望の口座の所望の帳票を選択し、選択した帳票をコンピュータ端末に表示させたり、または、ＣＳＶファイルとしてダウンロードしたりして、閲覧することができる。
【発明の概要】
【発明が解決しようとする課題】
【０００４】
しかしながら、従来のＷｅｂ帳票サービスでは、例えば、金融機関の店舗統廃合、口座移管、並びに口座の解約や変更などにより、顧客である企業の口座の店番号や口座番号等の口座情報が変更されてしまうと、企業の担当者は、変更前の口座情報で生成されている帳票を閲覧することができなくなってしまっていた。例えば、変更前の旧口座が、当該担当者の閲覧権限から外れていたり、多くの口座が存在し、大量の帳票が発生する企業の業務において、所望の帳票を指定することが困難になったりしていた。また、企業の担当者からは、現在の口座の口座情報を指定することで、変更前の口座に対して生成された過去分の帳票を含めて、帳票を一括して検索し、まとめて閲覧したいという要望もあった。
【０００５】
本発明は、このような問題に鑑みてなされたものであり、その目的とするところは、口座情報が変わった場合でも、変更前の口座に対して生成された過去分の帳票も含めて一括して検索し、容易に閲覧することが可能な帳票掲載管理システム、帳票掲載管理方法、及びプログラムを提供することにある。
【課題を解決するための手段】
【０００６】
このような目的を達成するために、本発明の一実施形態に係る帳票掲載管理システムは、現在の口座の口座情報と、１つまたは複数の旧口座の口座情報とを記憶する口座情報読替データベースと、前記現在の口座及び前記１つまたは複数の旧口座に対して生成された帳票を記憶する帳票管理データベースと、操作端末から前記現在の口座の口座情報を受信する受信部と、前記現在の口座に対応する前記１つまたは複数の旧口座の口座情報が、前記口座情報読替データベースに存在するかどうか判定し、前記１つまたは複数の旧口座の口座情報が存在する場合に、前記１つまたは複数の旧口座の口座情報を取得する口座情報読替部と、前記受信した現在の口座の口座情報と、前記取得した１つまたは複数の旧口座の口座情報とを使用して、前記帳票管理データベースから対応する帳票を検索し、抽出する帳票抽出部と、前記抽出した帳票を、前記操作端末に出力する帳票出力部とを備えたことを特徴とする。
【０００７】
また、前記帳票抽出部は、前記１つまたは複数の旧口座の口座情報が存在しない場合に、前記現在の口座の口座情報のみを使用して、前記帳票管理データベースを検索することを特徴とする。
【０００８】
また、前記帳票出力部は、前記帳票管理データベースから対応する帳票が抽出されない場合に、対応する帳票は存在しない旨のエラーメッセージを表示することを特徴とする。
【０００９】
本発明の一実施形態によると、口座情報が変更され、新たな口座が登録されると、前記変更された旧口座の口座の口座情報と、前記新たに登録された現在の口座の口座情報とを、前記口座情報読替データベースに登録する読替口座登録部をさらに備えたことを特徴とする。
【００１０】
また、本発明の一実施形態は、１つまたは複数のコンピュータを、上記帳票掲載管理システムとして機能させるためのプログラムを対象とする。
【００１１】
また、本発明の一実施形態に係る帳票掲載管理方法は、操作端末から現在の口座の口座情報を受信するステップと、前記現在の口座に対応する１つまたは複数の旧口座の口座情報を記憶する口座情報読替データベースに、前記現在の口座に対応する前記１つまたは複数の旧口座の口座情報が存在するかどうか判定するステップと、前記１つまたは複数の旧口座の口座情報が存在する場合に、前記１つまたは複数の旧口座の口座情報を取得するステップと、前記受信した現在の口座の口座情報と、前記取得した１つまたは複数の旧口座の口座情報とを使用して、前記現在の口座及び前記１つまたは複数の旧口座に対して生成された帳票を記憶する帳票管理データベースから、対応する帳票を検索し、抽出するステップと、前記抽出した帳票を、前記操作端末に出力するステップとを含むことを特徴とする。
【発明の効果】
【００１２】
以上説明したように、本発明によれば、口座が変わった場合でも、現在の口座情報を使用して、変更前の口座に対して生成された過去分の帳票も含めて一括して検索し、容易に所望の帳票を閲覧し、取得することが可能となる。
【図面の簡単な説明】
【００１３】
【図１】本発明の一実施形態に係る帳票掲載管理システムの構成を示す図である。
【図２】本発明の一実施形態に係るデータベースの構成を示す図である。
【図３】本発明の一実施形態に係る帳票掲載管理方法の処理フローを示す図である。
【図４】本発明の一実施形態に係る帳票検索方法の処理フローを示す図である。
【図５】本発明の一実施形態に係る帳票の例を示す図である。
【図６】本発明の一実施形態に係る帳票の例を示す図である。
【図７】本発明の一実施形態に係る帳票の例を示す図である。
【発明を実施するための形態】
【００１４】
以下に、図面を参照しながら、本発明の実施形態について詳細に説明する。なお、複数の図面において同一の符号は同一物を表し、その繰り返しの説明は省略する。
【００１５】
図１は、本発明の一実施形態に係る帳票掲載管理システムの構成を示す。
【００１６】
本実施形態では、企業の担当者が使用する担当者端末１０１は、インターネットなどのネットワーク１０２を介して、金融機関のシステム１０３に通信可能に接続される。企業の担当者は、担当者端末１０１を操作し、ブラウザソフト等を介して、インタネットサービスが提供される金融機関システム１０３のウェブサイトにアクセスしてログインすることで、Ｗｅｂ帳票サービスを利用することができる。図１には１台の操作端末１０１が示されているが、複数の操作端末１０１を利用することもできる。また、操作端末１０１は、ネットワーク接続が可能なＰＣや、スマートフォンなどの携帯端末とすることもできる。
【００１７】
本実施形態に係る金融機関システム１０３は、ウェブサイト提供部１１０、口座情報読替部１１１、帳票抽出部１１２、帳票出力部１１３、読替口座登録部１１４、口座情報読替データベース（ＤＢ）１２０、帳票管理ＤＢ１２１を備える。
【００１８】
ウェブサイト提供部１１０は、金融機関が提供するインタネットサービスのためのウェブサイトを提供する。ウェブサイトは、担当者端末１０１からの要求に応じて、所定のウェブサイト画面を送信し、担当者端末１０１からの入力を受信し、担当者端末１０１からの要求に応じた処理結果を示すウェブサイト画面を出力する。本実施形態では、ウェブサイトは、Ｗｅｂ帳票サービスとして帳票一括検索機能を提供するものとして説明するが、口座残高の確認や、振込、為替取引など、その他のインターネットサービスを提供することもできる。
【００１９】
口座情報読替部１１１は、口座情報読替ＤＢ１２０を参照し、操作端末１０１から受信した口座情報に関連する旧口座情報が存在するかどうか確認する。口座情報読替ＤＢ１２０に旧口座の口座情報が存在する場合、当該旧口座情報を取得する。
【００２０】
帳票抽出部１１２は、帳票管理ＤＢ１２１を参照し、操作端末１０１から受信した現在の口座の口座情報、及び口座情報読替部１１１によって取得された旧口座情報に基づいて、操作端末１０１から受信した振込指定年月日（または引落日）及び帳票種別に対応する帳票が存在するかどうか確認する。対応する帳票が存在する場合は、当該帳票を抽出する。
【００２１】
帳票出力部１１３は、帳票抽出部１１２によって抽出された帳票を、ウェブサイトを介して、操作端末１０１に対して出力する。
【００２２】
読替口座登録部１１４は、金融機関の店舗統廃合、口座移管、並びに口座の解約や変更などにより、金融機関システム１０３において口座情報が変更され、新たな口座が登録されると、変更された旧口座の口座情報と、新たに登録された現口座の口座情報を、口座情報読替ＤＢ１２０に登録する。
【００２３】
金融機関システムの上述した各機能部は、１つまたは複数のコンピュータによって実装することができる。また、当該１つまたは複数のコンピュータは、メモリ等の記憶装置に記憶されたコンピュータプログラムを、処理装置（ＣＰＵ）が実行することによって統括的に制御され、各機能部の機能を実現することができる。
【００２４】
図２は、本発明の一実施形態に係るデータベースの構成例を示す。
【００２５】
図２（ａ）に示される口座情報読替ＤＢ１２０は、現在の口座と旧口座の対応関係を記憶する。一般に、企業は、金融機関に複数の取引口座を保有しており、インターネットサービスにおいては、そのうちの１つが代表口座として登録されている。
【００２６】
図示した例では、代表口座として、店番号「１１１」、科目「普通」、口座番号「１１１１１１１」、口座名義「Ａ社」という口座が登録されている。また、代表口座は、保有口座としても登録される。店番号「１１１」、科目「普通」、口座番号「１１１１１１１」という口座は、最初にＸ社の口座名義で、２０００年１月１５日に開設され、２０１５年３月３１日に閉鎖されているが、名義変更され、新たにＡ社の口座名義で、２０１５年４月１日に開設されていることを示す。名義変更後の現在の口座情報には、名義変更前の旧口座の口座情報も併せて記憶される。
【００２７】
また、保有口座の１つである、店番号「２２２」、科目「当座」、口座番号「２２２２２２２」という口座は、２０００年４月１日に開設され、口座解約により２０１０年３月３１日に閉鎖されていることを示している。
【００２８】
また、保有口座の１つである、店番号「３３３」、科目「普通」、口座番号「３３３３３３３」という口座は、２００５年７月１日に開設され、２０１５年４月３０日に閉鎖されているが、口座移管により、新たに店番号「４４４」、科目「普通」、口座番号「４４４４４４４」として開設されていることを示している。移管後の現在の口座情報には、移管前の旧口座の口座情報も併せて記憶される。
【００２９】
図２（ａ）を参照して説明したように、金融機関システム１０３は、企業の保有口座の口座移管や口座解約、変更情報等について、現在の口座の口座情報と旧口座の口座情報を口座情報読替ＤＢ１２０に記憶する。
【００３０】
次に、図２（ｂ）に示される帳票管理ＤＢ１２１について説明する。帳票管理ＤＢ１２１は、企業の保有口座（出金口座）毎に生成された帳票ファイルを記憶する。保有口座（出金口座）の口座情報（店番号、科目、口座番号、口座名義）は、帳票ファイル作成時の口座情報が記憶されている。また、「帳票種別」欄で示されているように、帳票として、総合振込明細表、給与振込明細表、為替手数料計算書が生成されていることを示している。
【００３１】
図示した例では、名義変更のあった店番号「１１１」、科目「普通」、口座番号「１１１１１１１」の口座については、２０１５年３月までに生成された各種帳票は、口座名義が「Ｘ社」として記憶され、２０１５年４月以降に生成された帳票は、口座名義が名義変更後の「Ａ社」として記憶されている。
【００３２】
また、口座移管のあった店番号「３３３」、科目「普通」、口座番号「３３３３３３３」の口座については、移管前の口座情報で、２０１５年４月までに生成された各種帳票が記憶されており、移管後の口座情報（店番号「４４４」、科目「普通」、口座番号「４４４４４４４」）で、２０１５年５月以降に生成された帳票が記憶されいる。
【００３３】
なお、図２（ｂ）において、「振込指定年月日」という用語は、総合振込及び給与振込について指定された振込日を表す。また、「引落日」という用語は、為替手数料計算書について、各月毎に生じた為替手数料が一括して引き落とされた日付を表す。
【００３４】
図３は、本発明の一実施形態に係る帳票掲載管理方法の処理フローを示しており、以下に、当該処理フローを説明する。
【００３５】
まず、ステップＳ３０１において、金融機関システム１０３は、ウェブサイトを介して、操作端末１０１において指定された現在の口座の口座情報、振込指定年月日（または引落日）、及び帳票種別を受信する。すなわち、ウェブサイト提供部１１０は、受信部としても機能する。なお、企業の担当者は、保有口座が複数存在する場合は、そのうちの１つを指定してもよいし、複数の口座を指定してもよい。また、帳票種別を指定せずに、すべての帳票が閲覧対象となるようにしてもよい。また、振込指定年月日（または引落日）は、月単位で指定してもよいし、期間で指定するようにしてもよい。さらに、現在の口座の口座情報のみを使用して帳票を検索するように指定してもよいし、（すなわち、旧口座は含めない）、取得された旧口座の口座情報のみを使用して帳票を検索するようにしてもよい（すなわち、現在の口座は含めない）。
【００３６】
次いで、ステップＳ３０２において、口座情報読替部１１１は、受信した現在の口座の口座情報を使用して、口座情報読替ＤＢ１２０に、対応する旧口座の口座情報が存在するかどうか確認する。
【００３７】
ステップＳ３０３において、口座情報読替部１１１は、口座情報読替ＤＢ１２０に旧口座の口座情報が存在すると判定した場合、ステップＳ３０４において、当該旧口座の口座情報を取得する。また、旧口座の口座情報が複数存在する場合は、全ての旧口座情報を取得する。一方、旧口座情報が存在しない場合は、旧口座情報は取得できないので、ステップＳ３０５に進む。
【００３８】
次いで、ステップＳ３０５において、帳票抽出部１１２は、操作端末１０１から受信した現在の口座の口座情報、振込指定年月日（または引落日）、及び帳票種別と、旧口座の口座情報を取得した場合は取得した１つまたは複数の旧口座情報とを使用して、帳票管理ＤＢ１２１を検索する。
【００３９】
ここで、ステップＳ３０５における、現在の口座の口座情報及び旧口座の口座情報に対応する帳票の検索方法について、より具体的に説明する。
【００４０】
図４は、本発明の一実施形態に係る帳票検索方法についての処理フローを示す。
【００４１】
まず、ステップＳ４０１において、帳票抽出部１１２は、現在の口座の口座情報を使用して、帳票管理ＤＢ１２１を検索する。検索が終了すると、次いで、ステップＳ４０２において、帳票抽出部１１２は、１つまたは複数の旧口座情報が取得されているかどうか判定する。１つまたは複数の旧口座情報が取得されている場合、ステップＳ４０３に進み、取得した旧口座情報の１つを使用して、帳票管理ＤＢ１２１を検索する。一方、旧口座情報が取得されていない場合は、処理を終了する。
【００４２】
旧口座情報の１つについて帳票の検索が終了すると、次いで、ステップＳ４０４において、取得されている全ての旧口座情報を使用して、帳票を検索したかどうか判定する。検索に使用していない旧口座情報が存在する場合は、ステップＳ４０３に戻り、使用していない旧口座情報の１つを使用して、帳票管理ＤＢ１２１を検索する。取得されている全ての旧口座情報を使用して帳票の検索を行なったら、処理を終了する。
【００４３】
本発明の一実施形態によると、このようにして、現在の口座の口座情報及び取得した全ての旧口座の口座情報に対応する帳票の検索を行なう。
【００４４】
図３に戻り、ステップＳ３０６において、対応する帳票が存在する場合は、ステップＳ３０７に進む。ステップＳ３０７では、帳票抽出部１１２が対応する帳票を抽出し、帳票出力部１１３が、ウェブサイトを介して操作端末１０１に出力する。なお、対応する帳票が複数存在する場合は、複数の帳票を一覧形式でウェブサイト上に表示し、操作端末１０１において担当者が選択した帳票を出力することができる。操作端末１０１における帳票の出力は、ＰＤＦ形式で行なってもよいし、ＣＳＶ形式で操作端末１０１にダウンロードするようにしてもよい。
【００４５】
一方、ステップＳ３０６において、対応する帳票が存在しない場合は、ステップＳ３０８に進む。ステップＳ３０８では、帳票出力部１１３は、ウェブサイトを介して操作端末１０１に、対応する帳票は存在しない旨のエラーメッセージを表示して処理を終了する。
【００４６】
ここで、図２に例示したデータを使用して、上記処理フローについて説明する。
【００４７】
まず、企業の担当者によって、現在の口座の口座情報として、店番号「４４４」、科目「普通」、口座番号「４４４４４４４」が指定され、かつ、２０１５年４月以降に振込がなされた総合振込明細表を検索するよう指定されたとする（Ｓ３０１）。この場合、帳票掲載管理システム（金融機関システム１０３）は、口座情報読替ＤＢ１２０を参照し、指定された現在の口座に対応する旧口座情報（店番号「３３３」、科目「普通」、口座番号「３３３３３３３」）を取得する（Ｓ３０２〜Ｓ３０５）。
【００４８】
次いで、帳票掲載管理システムは、指定された現在の口座情報、及び取得した旧口座情報を使用して、帳票管理ＤＢ１２１を検索する（Ｓ３０５）。図２（ｂ）に示したように、上記現在の口座については、帳票ファイル「１０００１０．ｐｄｆ」が抽出され、上記旧口座については、帳票ファイル「１００００８．ｐｄｆ」が抽出され、担当者の操作端末１０１に表示される（Ｓ３０６、Ｓ３０７）。
【００４９】
このように、本発明の一実施形態によると、口座移管後の現在の口座を指定することで、口座移管前の旧口座に対して作成された帳票も含めて、一括して検索することができる。
【００５０】
図５〜７は、本発明の一実施形態に係る出力帳票の例を示す。図５に記載の帳票は、総合振込明細表（総合振込ご利用明細表）の例を示し、図６に記載の帳票は、給与振込明細表（給与振込ご利用明細表）の例を示し、図７に記載の帳票は、為替手数料計算書の例を示す。
【００５１】
以上説明したように、本発明によると、金融機関の店舗統廃合、口座移管、並びに口座の解約や変更等により、顧客の現在の口座が変更されてしまった場合でも、現在の口座情報を使用して、変更前の旧口座に対して生成された過去分の帳票も含めて一括して検索し、容易に所望の帳票を閲覧し、取得することが可能となる。
【符号の説明】
【００５２】
１０１  担当者端末
１０２  ネットワーク
１０３  金融機関システム
１１０  ウェブサイト提供部
１１１  口座情報読替部
１１２  帳票抽出部
１１３  帳票出力部
１１４  読替口座登録部
１２０  口座情報読替データベース
１２１  帳票管理データベース
【図１】
2017027141.tif 000003
【図２】
2017027141.tif 000004
【図３】
2017027141.tif 000005
【図４】
2017027141.tif 000006
【図５】
2017027141.tif 000007
【図６】
2017027141.tif 000008
【図７】
2017027141.tif 000009
【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
帳票掲載管理システムであって、
現在の口座に対応する現在の口座情報と、前記現在の口座と関連付けられた旧口座に対応する旧口座情報とを記憶する口座情報読替データベースと、
前記現在の口座に対して生成された第１の帳票に対応する第１の帳票情報と、前記旧口座に対して生成された第２の帳票に対応する第２の帳票情報とを記憶する帳票管理データベースであって、前記第１の帳票情報は、前記現在の口座情報を含み、前記第２の帳票情報は、前記旧口座情報を含む、帳票管理データベースと、
操作端末から前記現在の口座情報を受信する受信部と、
前記受信した現在の口座情報に基づいて、前記口座情報読替データベースから、前記旧口座情報を取得する口座情報読替部と、
前記受信した現在の口座情報に基づいて、前記帳票管理データベースから前記第１の帳票情報を取得し、前記取得した旧口座情報に基づいて、前記帳票管理データベースから、前記第２の帳票情報を取得する帳票抽出部であって、前記第２の帳票情報が複数存在する場合、前記第２の帳票情報の全てを取得するまで取得することを繰り返す、帳票抽出部と、
前記取得した第１の帳票情報、および前記取得した第２の帳票情報とを、前記操作端末に一括して出力する帳票出力部と
を備えたことを特徴とするシステム。
【請求項２】
前記受信部は、前記操作端末から指定年月日および／または帳票種別をさらに受信し、
前記第１の帳票情報および前記第２の帳票情報は、振込指定年月日／引落日、および帳票種別を含み、
前記帳票抽出部は、前記受信した指定年月日および／または帳票種別にさらに基づいて、前記第１の帳票情報および前記第２の帳票情報を取得する
ことを特徴とする請求項１に記載のシステム。
【請求項３】
前記帳票出力部は、前記帳票管理データベースから前記第２の帳票情報を取得することができない場合に、前記第２の帳票情報が存在しない旨のエラーメッセージを表示することを特徴とする請求項１または２に記載のシステム。
【請求項４】
口座情報が変更され、新たな口座情報が登録されると、前記変更された口座情報を前記旧口座情報として、前記新たに登録された口座情報を前記現在の口座情報として、前記口座情報読替データベースに登録する読替口座登録部
をさらに備えたことを特徴とする請求項１乃至３のいずれか１項に記載のシステム。
【請求項５】
１つまたは複数のコンピュータを、請求項１乃至４のいずれか１項に記載の帳票掲載管理システムとして機能させるためのプログラム。
【請求項６】
コンピュータにより実行される帳票掲載管理方法であって、
前記コンピュータは、
現在の口座に対応する現在の口座情報と、前記現在の口座と関連付けられた旧口座に対応する旧口座情報とを記憶する口座情報読替データベースと、
前記現在の口座に対して生成された第１の帳票に対応する第１の帳票情報と、前記旧口座に対して生成された第２の帳票に対応する第２の帳票情報とを記憶する帳票管理データベースであって、前記第１の帳票情報は、前記現在の口座情報を含み、前記第２の帳票情報は、前記旧口座情報を含む、帳票管理データベースと、
を含み、
操作端末から現在の口座情報を受信するステップと、
前記受信した現在の口座情報に基づいて、前記口座情報読替データベースから、前記旧の口座情報を取得するステップと、
前記受信した現在の口座情報に基づいて、前記帳票管理データベースから前記第１の帳票情報を取得し、前記取得した旧口座情報に基づいて、前記帳票管理データベースから、前記第２の帳票情報を取得するステップであって、前記第２の帳票情報が複数存在する場合、前記第２の帳票情報の全てを取得するまで取得することを繰り返す、ステップと、
前記取得した第１の帳票情報、および前記取得した第２の帳票情報とを、前記操作端末に一括して出力するステップと
を含むことを特徴とする方法。